(57)【要約】 【課題】  キスジノミハムシのアブラナ科野菜の葉に対する食害を防止する栽培方法を提供する。【解決手段】  前処理として、アブラナ科野菜を栽培する土壌中のキスジノミハムシの卵及び幼虫を、農薬を用いて防除する。次いで、この土壌にアブラナ科野菜の種を播き、長繊維不織布をべたがけして土壌を被覆する。長繊維不織布は、ポリエチレンテレフタレート長繊維又はポリプロピレン長繊維を構成繊維の主体とするもので、目付が１０〜３０ｇ／ｍ2である。アブラナ科野菜の発芽及び成育の程度は、長繊維不織布が透明性に優れているため、外部から観察できる。そして、アブラナ科野菜が十分に成育した段階で、長繊維不織布を外して、アブラナ科野菜を収穫する。【選択図】  なし【特許請求の範囲】
【請求項１】
アブラナ科野菜を栽培する土壌中のキスジノミハムシを防除した後、該土壌にアブラナ科野菜の種を播き、次いで、該土壌をポリエチレンテレフタレート長繊維又はポリプロピレン長繊維を主体とする目付１０〜３０ｇ／ｍ2の長繊維不織布で被覆し、キスジノミハムシが外部から侵入するのを防止して、アブラナ科野菜の葉を守ることを特徴とするアブラナ科野菜の栽培方法。
【請求項２】
発芽したアブラナ科野菜を栽培する土壌中のキスジノミハムシを防除した後、該発芽したアブラナ科野菜をポリエチレンテレフタレート長繊維又はポリプロピレン長繊維を主体とする目付１０〜３０ｇ／ｍ2の長繊維不織布で被覆し、外部からキスジノミハムシが侵入して、アブラナ科野菜の葉を食することを防止することを特徴とするアブラナ科野菜の栽培方法。
【請求項３】
長繊維不織布の構成繊維が芯鞘型複合長繊維であって、芯成分がポリエチレンテレフタレートで鞘成分が低融点ポリエステル又はポリエチレンである請求項１又は２記載のアブラナ科野菜の栽培方法。
【請求項４】
アブラナ科野菜がカラシナである請求項１又は２記載のアブラナ科野菜の栽培方法。
【発明の詳細な説明】
【技術分野】
【０００１】
本発明は、アブラナ科野菜の栽培方法に関し、特に、アブラナ科野菜の葉に対するキスジノミハムシの食害を防止するアブラナ科野菜の栽培方法に関するものである。
【背景技術】
【０００２】
従来より、作物を霜害から守るために、不織布で被覆して作物を保温することが知られている（特許文献１）。作物を被覆して栽培する方法としては、作物に直接不織布を掛けるべたがけ栽培や、作物の上方にアーチ状トンネルを形成し、このトンネルに不織布を掛けるトンネル栽培等が知られている。また、不織布を用いたべたがけ栽培やトンネル栽培等により、外部からの害虫の侵入も防護できるものである。
【０００３】
【特許文献１】特許第２６３２９７８号公報
【発明の開示】
【発明が解決しようとする課題】
【０００４】
本発明者は、特定の不織布をべたがけ栽培やトンネル栽培に用いることにより、キスジノミハムシのアブラナ科野菜の葉に対する食害を顕著に防止しうることを見出した。したがって、本発明の課題は、キスジノミハムシのアブラナ科野菜の葉に対する食害を防止する栽培方法を提供することにある。
【課題を解決するための手段】
【０００５】
本発明は、不織布を掛ける前に土壌中からキスジノミハムシを防除すると共に、特定の不織布でアブラナ科野菜の葉を被覆することにより、上記課題を解決したものである。すなわち、本発明は、アブラナ科野菜を栽培する土壌中のキスジノミハムシを防除した後、該土壌にアブラナ科野菜の種を播き、次いで、該土壌をポリエチレンテレフタレート長繊維又はポリプロピレン長繊維を主体とする目付１０〜３０ｇ／ｍ2の長繊維不織布（以下、単に「長繊維不織布」という。）で被覆し、キスジノミハムシが外部から侵入するのを防止して、アブラナ科野菜の葉を守ることを特徴とするアブラナ科野菜の栽培方法に関するものである。また、本発明は、アブラナ科野菜が発芽した後に、その土壌中からキスジノミハムシを防除し、発芽したアブラナ科野菜を長繊維不織布で被覆し、外部からキスジノミハムシが侵入して、アブラナ科野菜の葉を食することを防止することを特徴とするアブラナ科野菜の栽培方法に関するものである。
【０００６】
本発明では、前処理として、アブラナ科野菜を栽培する土壌中のキスジノミハムシを防除する。土壌中にはキスジノミハムシの卵及び幼虫が存在する可能性があるので、これらを防除する。土壌中にキスジノミハムシの卵及び幼虫が存在していると、アブラナ科野菜の葉を長繊維不織布で被覆して外部からの侵入を防止しても、卵及び幼虫が成虫となって、内部からアブラナ科野菜の葉を食するからである。防除の方法としては、公知の方法で行われ、たとえば、有機リン系化合物等の公知の農薬を土壌に散布して行う。また、土壌を数日間冠水して防除する方法や、土壌を透明マルチで被覆して太陽熱で高温を維持して防除する方法を採用してもよい。農薬散布による前処理は、アブラナ科野菜の種を播く前であってもよいし、アブラナ科野菜が成育して発芽した後であってもよい。冠水や太陽熱による前処理は、アブラナ科野菜の種を播く前に行うのが一般的である。
【０００７】
前処理を種を播く前に行った場合、次いで、土壌を長繊維不織布で被覆する。土壌を長繊維不織布で被覆する方法としては、土壌に直接長繊維不織布を掛けるべたがけ法であってもよいし、土壌の上方にアーチ状トンネルを形成し、このトンネルに不織布を掛ける方法であってもよい。本発明で用いる長繊維不織布は目付が１０〜３０ｇ／ｍ2と比較的低目付であるため、透明性があり、いずれの被覆方法でも種の発芽及び成育の状態を視認しうる。
【０００８】
前処理をアブラナ科野菜が成育して発芽した後に行った場合、次いで、発芽したアブラナ科野菜を長繊維不織布で被覆する。この被覆も、発芽したアブラナ科野菜に長繊維不織布をべたがけしてもよいし、アーチ状トンネルに長繊維不織布を掛けてもよい。以上のようにして、アブラナ科野菜を長繊維不織布で被覆することにより、外部からのキスジノミハムシの侵入を防止でき、アブラナ科野菜の葉がキスジノミハムシによって食されるのを防止しうるのである。
【０００９】
本発明に用いる長繊維不織布は、ポリエチレンテレフタレート長繊維又はポリプロピレン長繊維を構成繊維の主体としているものである。ポリエチレンテレフタレート長繊維は耐候性に優れているので、長期に亙って使用しても劣化しにくいので好ましい。ポリプロピレン長繊維は、ポリエチレンテレフタレート長繊維に比べて劣化しやすいが、廉価であるため好ましいものである。ポリプロピレン長繊維の場合は、長繊維中に紫外線吸収剤や光安定剤等の老化防止剤を含有させておけば、耐候性が向上する。また、ポリエチレンテレフタレート長繊維は、ポリエチレンテレフタレートを芯成分とし、低融点ポリエステルやポリエチレンを鞘成分とする芯鞘型複合長繊維を用いてもよい。かかる複合長繊維の場合、鞘成分のみを軟化又は溶融させることにより、長繊維相互間を結合するのが好ましい。
【００１０】
本発明に用いる長繊維不織布は、目付１０〜３０ｇ／ｍ2と低目付であるので、透明性があり、アブラナ科野菜の成育状態を外部から視認しうるものである。また、透明性があるので、太陽光が十分に透光し、アブラナ科野菜の成育を阻害することはない。さらに、低目付であるため、構成繊維である長繊維相互間に微細な間隙が形成されており、通水性及び通気性に優れている。したがって、長繊維不織布を被覆したままで、水やりを行うことができ、アブラナ科野菜の成育を図ることができる。
【００１１】
アブラナ科野菜の葉が十分に成育した後、長繊維不織布を外して、アブラナ科野菜を収穫する。本発明に係る栽培方法を適用するアブラナ科野菜としては、カラシナ、キャベツ、コールラビ又はダイコン等が挙げられる。特に、カラシナは、本発明に係る栽培方法に適している。
【発明の効果】
【００１２】
本発明に係る栽培方法をカラシナ等のアブラナ科野菜に適用すると、キスジノミハムシがアブラナ科野菜の葉を食することを顕著に防止でき、食害のないアブラナ科野菜を収穫しうるという効果を奏する。